(57)【特許請求の範囲】
【請求項１】
電力の供給対象である負荷の動作に必要な電力の予測値を示す電力予測情報のうち、過去分の電力予測情報と、その過去分の予測値に対して前記負荷が実際に動作する際に出力した電力値を示す出力電力情報とが関連付けされた電力情報が記憶されている記憶手段を、新たな電力予測情報に基づいて参照することにより、該新たな電力予測情報に対応する、前記電力情報中の前記過去分の電力予測情報に関連付けされている特定の前記出力電力情報を求め、求めた該特定の出力電力情報に基づいて基準値を求めると共に、該基準値に応じて、電力変換手段が入力電力から出力電力に変換する際の電力変換効率を調整するよう、該電力変換手段を制御する制御手段、を備える
電源装置。
【請求項２】
前記制御手段は、
求めた前記基準値に応じて、前記電力変換効率を調整するよう要求する要求情報を出力する要求手段と、
前記要求情報に応じて設定された電力変換効率に基づいて、前記電力変換効率を調整するよう指示する制御情報を、前記電力変換手段に対して出力する１つ以上の制御情報出力手段と、
前記要求情報に応じて、１つ以上の前記制御情報出力手段のうち、何れか１つの前記制御情報出力手段を選定する選定手段と、を含む
請求項１に記載の電源装置。
【請求項３】
前記選定手段は、
前記要求情報と前記制御情報出力手段を指定可能なセレクト信号を示す情報とが関連付けられた出力手段選定情報を参照し、前記出力手段選定情報の中から、前記要求手段から得た前記要求情報に関連付けされている特定の前記制御情報出力手段を指定可能なセレクト信号を示す情報を取得し、取得した前記セレクト信号を示す情報に基づいて、特定の前記制御情報出力手段に対して前記セレクト信号を出力し、
特定の前記制御情報出力手段は、
前記選定手段から前記セレクト信号が入力されるのに応じて、前記制御情報を、前記電力変換手段に対して出力する
請求項２に記載の電源装置。
【請求項４】
前記選定手段は、
前記セレクト信号を前記制御情報出力手段に対して出力する時間間隔を調整可能である
請求項３に記載の電源装置。
【請求項５】
前記制御手段は、２つ以上の前記制御情報出力手段を含み、
前記２つ以上の前記制御情報出力手段には、前記制御情報出力手段毎に、前記要求情報に応じて、それぞれ異なる前記電力変換効率が設定されている
請求項２乃至請求項４の何れか１項に記載の電源装置。
【請求項６】
前記要求手段は、
特定の前記出力電力情報が示す電力値の平均値を前記基準値として求め、求めた前記基準値と所定の電力値の範囲とを比較し、求めた前記基準値が前記所定の電力値の範囲内に含まれる場合には、前記所定の電力値の範囲に関連付けられている前記要求情報を前記選定手段に対して出力する
請求項２に記載の電源装置。
【請求項７】
前記要求手段は、
前記基準値と特定の前記出力電力情報とに基づいて、前記電力変換効率の調整が必要か否かを判定し、前記電力変換効率の調整が必要と判定した場合には、前記要求情報を前記選定手段に対して出力する
請求項６に記載の電源装置。
【請求項８】
前記制御手段は、
前記新たな電力予測情報に対応する、前記電力情報中の前記過去分の電力予測情報を求め、求めた該過去分の電力予測情報に関連付けされている特定の前記出力電力情報を求め、求めた該特定の出力電力情報に基づいて基準値を求める
請求項１に記載の電源装置。
【請求項９】
電力の供給対象である負荷の動作に必要な電力の予測値を示す電力予測情報のうち、過去分の電力予測情報と、その過去分の予測値に対して前記負荷が実際に動作する際に出力した電力値を示す出力電力情報とが関連付けされた電力情報が記憶されている記憶手段を、新たな電力予測情報に基づいて参照することにより、該新たな電力予測情報に対応する、前記電力情報中の前記過去分の電力予測情報に関連付けされている特定の前記出力電力情報を求め、求めた該特定の出力電力情報に基づいて基準値を求めると共に、該基準値に応じて、電力変換手段が入力電力から出力電力に変換する際の電力変換効率を調整するよう、該電力変換手段を制御する
電力制御方法。
【請求項１０】
電力の供給対象である負荷の動作に必要な電力の予測値を示す電力予測情報のうち、過去分の電力予測情報と、その過去分の予測値に対して前記負荷が実際に動作する際に出力した電力値を示す出力電力情報とが関連付けされた電力情報が記憶されている記憶手段を、新たな電力予測情報に基づいて参照することにより、該新たな電力予測情報に対応する、前記電力情報中の前記過去分の電力予測情報に関連付けされている特定の前記出力電力情報を求め、求めた該特定の出力電力情報に基づいて基準値を求めると共に、該基準値に応じて、電力変換手段が入力電力から出力電力に変換する際の電力変換効率を調整するよう、該電力変換手段を制御する機能と、を
コンピュータに実現させるコンピュータ・プログラム。
【発明の詳細な説明】
【技術分野】
【０００１】
本発明は、電源装置の入力電力及び出力電力間における変換効率を最適化する技術分野に関する。
【背景技術】
【０００２】
近年の環境問題に対する意識の高まりを受けて、より少ない消費電力にて動作する電子機器の普及が急速に進んでいる。例えば、電子機器の駆動に必要な電力を生成する過程において、電源装置にて損失する電力の削減は、省電力化を実現するうえで大きなテーマである。この電力の損失を削減する手法としては、電源装置から出力される電力の状態を検出し、検出した電力の状態に応じて、出力する電力を制御するフィードバック方式が知られている。このフィードバック方式を採用することによって、電源装置は、例えば、直流電力から交流電力に変換する際の電力変換効率（以下、本願では、単に「変換効率」と称する）を最適化することができる。存在する関連技術としては、上述したフィードバック方式だけでなく、例えば、特許文献１及び特許文献２がある。
【０００３】
特許文献１は、基板構造に関する技術を開示する。当該基板構造は、パラメータによって動作が規定される複数のパラメータ回路と、何れかのパラメータ回路を選択する選択回路と、選択回路によって選択されたパラメータ回路が有するパラメータを出力する出力回路とを備える。これら複数のパラメータ回路は、パラメータ回路毎に、それぞれ異なるパラメータを有する。そのため、出力回路は、選択されたパラメータ回路によって、異なるパラメータを出力することができる。即ち、パラメータを受信する受信回路は、出力回路から異なるパラメータを受信することができる。
【０００４】
特許文献２は、電力変換装置を制御する制御装置及び方法に関する技術を開示する。特許文献２には、例えば、電力変換装置において直流電力から交流電力に変換する際の変換効率を、目標とする変換効率となるよう電力変換装置を制御する技術が開示されている。
【先行技術文献】
【特許文献】
【０００５】
【特許文献１】特開２００８−０４６９１５号公報
【特許文献２】特開２００６−０２０４１７号公報
【発明の概要】
【発明が解決しようとする課題】
【０００６】
特許文献１には、選択回路によって選択されたパラメータ回路が有するパラメータを出力することが記載されているに留まる。即ち、特許文献１では、電力を生成する過程において損失する電力を削減することについては、考慮されておらず、何ら述べられていない。
【０００７】
特許文献２に開示された制御装置において、太陽光発電システムなどの直流電源設備から出力された直流電力は、電力変換装置によって交流電力に変換される。制御装置は、直流電源設備から出力された直流電力と変換された交流電力とに基づいて、電力変換装置における電力の変換効率を求める。制御装置は、求めた電力の変換効率を、目標とする変換効率となるよう電力変換装置を制御する。このように、特許文献２に開示された制御装置は、直流電源設備から出力された出力値に基づいて、変換効率を補正（以降、「事後補正」とも記す）する。即ち、制御装置は、上述したフィードバック方式によって変換効率を補正する。そのため、特許文献２では、目標とする変換効率となるよう変換効率を、最適なタイミングにおいて制御することができない虞がある。その結果、特許文献２では、電力変換装置における電力損失を低減できない可能性がある。
【０００８】
このように、出力された電力の状態に応じて、電力の変換効率を最適化する手法では、電子機器において消費される電力に追随することが困難なだけでなく、損失する電力の削減にも限界がある。即ち、当該手法では、省電力効果を十分に得られない可能性がある。
【０００９】
本発明は、電力の供給対象である負荷の動作状況に応じて、その負荷が必要とする電力を供給可能なように電力の変換効率を最適化することが可能な電源装置等を提供することを主たる目的とする。
【課題を解決するための手段】
【００１０】
上記の課題を達成すべく、本発明の一態様に係る電源装置は、以下の構成を備える。
【００１１】
即ち、本発明の一態様に係る電源装置は、
電力の供給対象である負荷の動作に必要な電力の予測値を示す電力予測情報のうち、過去分の電力予測情報と、その過去分の予測値に対して前記負荷が実際に動作する際に出力した電力値を示す出力電力情報とが関連付けされた電力情報が記憶されている記憶手段を、新たな電力予測情報に基づいて参照することにより、該新たな電力予測情報に対応する、前記電力情報中の前記過去分の電力予測情報に関連付けされている特定の前記出力電力情報を求め、求めた該特定の出力電力情報に基づいて基準値を求めると共に、該基準値に応じて、電源変換手段が入力電力から出力電力に変換する際の電力変換効率を調整するよう、該電源変換手段を制御する制御手段、を備える。
【００１２】
また、同目的を達成すべく、本発明の一態様に係る電力制御方法は、以下の構成を備える。
【００１３】
即ち、本発明の一態様に係る電力制御方法は、
電力の供給対象である負荷の動作に必要な電力の予測値を示す電力予測情報のうち、過去分の電力予測情報と、その過去分の予測値に対して前記負荷が実際に動作する際に出力した電力値を示す出力電力情報とが関連付けされた電力情報が記憶されている記憶手段を、新たな電力予測情報に基づいて参照することにより、該新たな電力予測情報に対応する、前記電力情報中の前記過去分の電力予測情報に関連付けされている特定の前記出力電力情報を求め、求めた該特定の出力電力情報に基づいて基準値を求めると共に、該基準値に応じて、電源変換手段が入力電力から出力電力に変換する際の電力変換効率を調整するよう、該電源変換手段を制御する。
【００１４】
尚、同目的は、上記の各構成を有する電源装置、電力制御方法を、コンピュータによって実現するコンピュータ・プログラム、及びそのコンピュータ・プログラムが格納されている、コンピュータ読み取り可能な記録媒体によっても達成される。
【発明の効果】
【００１５】
本発明によれば、電力の供給対象である負荷の動作状況に応じて、その負荷が必要とする電力を供給可能なように電力の変換効率を最適化することが可能な電源装置等を提供することができる。
【図面の簡単な説明】
【００１６】
【図１】本発明の第１の実施形態における電源装置の構成を示すブロック図である。
【図２】本発明の第２の実施形態における電源装置の構成を示すブロック図である。
【図３】本発明の第２の実施形態における出力部選定情報を具体的に例示する図である。
【図４】本発明の第２の実施形態における要求情報と変換効率との組み合わせを概念的に例示する図である。
【図５】本発明の第２の実施形態に係る実施例における電源装置の構成を例示する図である。
【図６】本発明の第２の実施形態に係る実施例における電力要求回路の構成を例示する図である。
【図７】本発明の第２の実施形態に係る実施例におけるコンピュータ回路の要部を示すブロック図である。
【図８】本発明の第２の実施形態に係る実施例における電源装置が行う動作を示すフローチャートである。
【図９】本発明の第２の実施形態に係る実施例における電源装置が行う動作を示すタイムチャートである。
【図１０】本発明の第３の実施形態における電源装置の構成を示すブロック図である。
【図１１】本発明の模範的な実施形態に係る電源装置において、少なくとも制御部などの機能を実行可能な情報処理装置（コンピュータ）３００の構成を例示的に説明する図である。
【発明を実施するための形態】
【００１７】
以下、本発明の実施形態について図面を参照して詳細に説明する。
【００１８】
＜第１の実施形態＞
図１は、本発明の第１の実施形態における電源装置１の構成を示すブロック図である。
【００１９】
図１において、電源装置１は、制御部２及び記憶部３を備える。
【００２０】
尚、以下の説明では、説明の便宜上、電力の供給対象である負荷（不図示）が動作するのに必要な電力の予測値を示す情報を、電力予測情報と称することとする。そして、以下の説明では、電力予測情報のうち、電源装置１に新たに入力される電力予測情報を、電力予測情報１０１Ｒと称することとする。また、以下の説明では、記憶部３に既に記憶されている過去分の電力予測情報を、電力予測情報１０１Ｓと称することとする。
【００２１】
以下の説明では、説明の便宜上、電源装置１から負荷に対して出力された電力値を示す情報を、出力電力情報と称することとする。そして、以下の説明では、出力電力情報のうち、電力予測情報１０１Ｒに対して負荷が実際に動作する際に出力した電力値を示す出力電力情報を、出力電力情報１０２Ｒと称することとする。また、以下の説明では、記憶部３に既に記憶されている過去分の出力電力情報を、出力電力情報１０２Ｓと称することとする。
【００２２】
記憶部３は、電力予測情報１０１Ｓと、出力電力情報１０２Ｓとが関連付けされた電力情報１０３を記憶する。即ち、記憶部３は、例えば、所定の時間周期毎に入力される、過去分の電力予測情報１０１Ｓと、その電力予測情報１０１Ｓが示す予測値に対して負荷が実際に動作する際に出力した電力値を示す出力電力情報１０２Ｓとが関連付けされた電力情報１０３を記憶することができる。
【００２３】
より具体的に、一例として、記憶部３は、電力予測情報１０１Ｒと、出力電力情報１０２Ｒとを負荷から得た順に、それらの情報を、電力予測情報１０１Ｓと、出力電力情報１０２Ｓとして関連付けされた電力情報１０３を記憶する構成を採用してもよい。或いは、記憶部３は、電力予測情報１０１Ｒが示す予測値毎に、電力予測情報１０１Ｓと、出力電力情報１０２Ｓとが関連付けされた状態で電力情報１０３として記憶する構成を採用してもよい。但し、本実施形態を例に説明する本発明は、前述した構成には限定されない（以下、各実施形態においても同様）。
【００２４】
また、例えば、出力電力情報１０２Ｒ及び１０２Ｓは、後述する電力変換部４によって出力される構成を採用してもよい。或いは、出力電力情報１０２Ｒ及び１０２Ｓには、不図示の測定手段によって測定された出力電力の電力値を採用してもよい。但し、本実施形態を例に説明する本発明は、前述した例には限定されない（以下、各実施形態においても同様）。
【００２５】
本実施形態において、負荷とは、電源装置１による電力の供給を必要とする、例えば、コンピュータ回路、そのコンピュータ回路を備える機器及び情報処理装置等の電子機器である。
【００２６】
制御部２は、新たな電力予測情報１０１Ｒが電源装置１に入力されるのに応じて、電力予測情報１０１Ｒに基づき電力情報１０３を参照する。参照した結果、制御部２は、電力予測情報１０１Ｒに対応する電力予測情報１０１Ｓを求める。そして、制御部２は、求めた電力予測情報１０１Ｓに関連付けられている特定の出力電力情報１０２Ｓを求める。制御部２は、求めた特定の出力電力情報１０２Ｓに基づいて、基準値を求める。即ち、制御部２は、新たな電力予測情報１０１Ｒの予測値と同じ予測値を示す電力予測情報１０１Ｓを求める。そして、制御部２は、求めた電力予測情報１０１Ｓに関連付けられている特定の出力電力情報１０２Ｓに基づいて、基準値を求める。
【００２７】
より具体的に、一例として、制御部２は、入力された電力予測情報１０１Ｒに基づき電力情報１０３を参照する。制御部２は、当該電力予測情報１０１Ｒに対応する電力予測情報１０１Ｓに関連付けられている特定の出力電力情報１０２Ｓに基づいて、その特定の出力電力情報１０２Ｓが示す電力値の平均値を基準値として求めてもよい。以下、本願では、電力値の平均値を、単に、「平均値」と称する。
【００２８】
その場合に、平均値は、電力情報１０３において係る負荷から得た電力予測情報１０１Ｓに関連付けられている全ての出力電力情報１０２Ｓを用いて求められてもよい。また、平均値は、電力情報１０３において電力予測情報１０１Ｓに関連付けられている特定の出力電力情報１０２Ｓのうち、所定の期間に亘って記憶された特定の出力電力情報１０２Ｓを用いて求められてもよい。或いは、電源装置１に新たに入力される電力予測情報１０１Ｒに応じて変化するので、係る平均値は、移動平均値と捉えることもできる。即ち、平均値は、電力情報１０３において電力予測情報１０１Ｓに関連付けられている出力電力情報１０２Ｓのうち、注目する出力電力情報１０２Ｓを用いて求められる構成を採用することとする。
【００２９】
但し、本実施形態を例に説明する本発明は、前述した構成には限定されない。例えば、制御部２は、電力情報１０３において電力予測情報１０１Ｓに関連付けられている出力電力情報１０２Ｓのうち、最も出現率の高い出力電力情報１０２Ｓが示す電力値を基準値として求めてもよい（以下、各実施形態においても同様）。
【００３０】
制御部２は、求めた基準値に応じて、電力変換部４に入力された入力電力から出力電力に変換される際の電力変換効率（以下、本願では、単に「変換効率」と称する）を調整するよう指示する制御情報を、電力変換部４に対して出力する。即ち、制御部２は、基準値に応じて予め設定された変換効率に基づいて、電力変換部４における変換効率を調整するよう指示する制御情報を、電力変換部４に対して出力する。換言すると、制御部２は、基準値に応じて、異なる指示内容を示す制御情報を、電力変換部４に対して出力する。
【００３１】
本実施形態において、基準値と変換効率との組み合わせは、予め設定されていることとする。
【００３２】
より具体的に、一例として、電力変換部４にスイッチング素子を採用する場合に、制御情報は、少なくともスイッチング素子のオン状態とオフ状態とを切り替えるスイッチング周期を表す情報を含むこととする。但し、本実施形態を例に説明する本発明は、前述した一例には限定されない。
【００３３】
ここで、変換効率とは、電源装置１の入力電力と出力電力との比率によって表される値である。
【００３４】
以下の説明では、制御部２から出力された制御情報に従って電力を変換する電力変換部４について説明する。尚、図１に示す電力変換部４は、電源装置１に含まれる構成を例示した。しかしながら本発明に係る実施形態は、係る構成に限定されない。電力変換部４は、電源装置１に含まれない構成を採用してもよい。そのため、図１に示す電力変換部４は、破線によって図示することとする。
【００３５】
電力変換部４は、制御情報に従って、当該入力電力を出力電力に変換する。電力変換部４は、変換した電力（出力電力）を、負荷に対して出力する。即ち、電力変換部４は、制御情報が示す変換効率に従って電力を変換することによって、電力変換効率を最適化することができる。
【００３６】
より具体的に、一例として、電力変換部４は、外部（例えば、不図示の入力電源）から与えられた交流電力を直流電力に変換する機能を有する。或いは、電力変換部４は、不図示の外部から与えられた直流電力を交流電力に変換する機能を有する。
【００３７】
尚、電力変換部４が入力電力を出力電力に変換する技術自体は、現在では一般的な技術を採用することができる。そのため、本実施形態における詳細な説明は省略する（以下、各実施形態においても同様）。
【００３８】
このように本実施の形態に係る電源装置１によれば、電力の供給対象である負荷の動作状況に応じて、その負荷が必要とする電力を供給可能なように電力の変換効率を最適化することができる。その理由は、以下に述べる通りである。
【００３９】
・電源装置１は、制御部２を備えるからである。即ち、制御部２は、電力予測情報１０１Ｒに基づいて、電力情報１０３に含まれる電力予測情報１０１Ｓに関連付けられている特定の出力電力情報１０２Ｓに基づき基準値を求める。制御部２は、求めた基準値に応じて電力変換効率を調整するよう指示する制御情報を、電力変換部４に対して出力する。その結果、電源装置１は、電力予測情報１０１Ｒだけの情報に基づき電力を供給するのに比べて、より精度よく電力を供給することができるからである。
【００４０】
・また、電源装置１は、負荷が必要とする電力を予測した電力予測情報１０１Ｒに基づいて、電力変換部４を制御する。そのため、電源装置１は、背景技術において上述した出力電力の電力値を用いるフィードバック方式に比べて、負荷の動作状況に追随して電力を供給するよう電力変換部４を制御することができる。その結果、電源装置１は、電力変換部４における変換効率を最適化することができる。また、電源装置１は、電子機器の駆動に必要な電力を生成する過程において損失する電力を低減することができるからである。即ち、電源装置１は、省電力化を実現することができるからである。
【００４１】
このように、電源装置１は、電力予測情報１０１Ｒに基づいて、電力情報１０３に記憶された情報を用いて最適な基準値を求めることができる。換言すると、電源装置１は、過去の実績値に基づいて基準値を求めることができる。そのため、電源装置１は、より速やかに、且つより正確な電力を負荷に対して供給することができる。
【００４２】
＜第２の実施形態＞
次に、上述した本発明の第１の実施形態に係る電源装置１を基本とする第２の実施形態について説明する。以下の説明においては、本実施形態に係る特徴的な部分を中心に説明する。その際、上述した実施形態と同様な構成については、同一の参照番号を付すことにより、重複する説明は省略する。
【００４３】
本発明の第２の実施形態における電源装置１０について、図２乃至図３を参照して説明する。
【００４４】
尚、本実施形態においても、以下の説明では、電力予測情報１０１Ｒと電力予測情報１０１Ｓとの関係は、第１の実施形態において説明した関係と同様である。また、以下の説明では、出力電力情報１０２Ｒと出力電力情報１０２Ｓとの関係は、第１の実施形態において説明した関係と同様である（以下、各実施形態においても同様）。
【００４５】
図２は、本発明の第２の実施形態における電源装置１０の構成を示すブロック図である。
【００４６】
図２において、電源装置１０は、大別して、電力要求部１１、制御部１２及び電力変換部４を備える。
【００４７】
電力要求部１１は、要求部１５、記憶部３及び電力情報１０３を有する。
【００４８】
要求部１５は、新たな電力予測情報１０１Ｒが電源装置１０に入力されるのに応じて、入力された電力予測情報１０１Ｒに基づき電力情報１０３を参照する。参照した結果、制御部２は、当該電力予測情報１０１Ｒに対応する、電力予測情報１０１Ｓに関連付けられている特定の出力電力情報１０２Ｓに基づいて、基準値を求める。
【００４９】
要求部１５は、求めた基準値に応じて、変換効率を調整することを要求する要求情報１０５を生成する。要求部１５は、生成した要求情報１０５を、制御部１２に対して出力する。
【００５０】
本実施形態において、基準値と要求情報１０５とは、予め設定されていることとする。要求情報１０５は、最も効率の良い変換効率に調整することを要求する情報である。より具体的に、例えば、要求情報１０５は、所望する変換効率を特定することが可能な情報を含む構成を採用してもよい。或いは、例えば、要求情報１０５は、後述する第２の実施形態に係る実施例において説明するパラメータ回路２５を識別可能な情報を含む構成を採用してもよい。係る要求情報１０５については、本実施形態において図３を参照して後述する。
【００５１】
図２において、制御部１２は、４つの制御情報出力部１３（制御情報出力部１３Ａ乃至１３Ｄ）、選定部１４及び出力部選定情報１０４を有する。
【００５２】
本実施形態において、以下の説明では、説明の便宜上、第１の制御情報出力部を制御情報出力部１３Ａ、第２の制御情報出力部を制御情報出力部１３Ｂ、第３の制御情報出力部を制御情報出力部１３Ｃ及び第４の制御情報出力部を制御情報出力部１３Ｄと称する。以下の説明では、説明の便宜上、４の制御情報出力部１３Ａ乃至１３Ｄのうち、特定の制御情報出力部を指定しない場合は、単に、制御情報出力部１３と称することとする。
【００５３】
選定部１４は、要求部１５から得た要求情報１０５と出力部選定情報１０４とに基づいて、次に示す処理を実行する。即ち、選定部１４は、要求部１５から出力された要求情報１０５と、出力部選定情報１０４とに基づいて、４つの制御情報出力部１３のうち、何れか１つの制御情報出力部１３を選定する。換言すると、選定部１４は、４つの制御情報出力部１３のうち、特定の制御情報出力部１３を選定する。
【００５４】
出力部選定情報１０４は、予め、要求情報１０５と、制御情報出力部１３を指定可能なセレクト信号を示す情報とが関連付けられた情報を含む。係る出力部選定情報１０４については、本実施形態において図３を参照して後述する。
【００５５】
より具体的に、選定部１４は、要求情報１０５に基づいて、出力部選定情報１０４を参照する。選定部１４は、出力部選定情報１０４の中から、要求情報１０５に関連付けされている特定の制御情報出力部１３を識別可能な情報を取得する。例えば、選定部１４は、出力部選定情報１０４の中から、識別可能な情報として特定の制御情報出力部１３を指定可能なセレクト信号を示す情報を取得する構成を採用してもよい。
【００５６】
選定部１４は、取得したセレクト信号を示す情報に基づいて、特定の制御情報出力部１３に対してセレクト信号を出力する。即ち、選定部１４は、取得したセレクト信号を示す情報に基づいて、そのセレクト信号を生成する。選定部１４は、生成したセレクト信号を、特定の制御情報出力部１３に対して出力する。
【００５７】
例えば、セレクト信号を出力する場合に、選定部１４は、セレクト信号を、特定の制御情報出力部１３に対して出力する時間間隔を調整可能な構成を採用してもよい。これにより、電源装置１０は、不図示の負荷が電力を必要とするタイミングにおいて、出力電力を負荷に対して供給することができる。その結果、電源装置１０は、負荷が消費する電力と、当該出力電力との差を小さくすることができる。
【００５８】
以下の説明では、出力部選定情報１０４と要求情報１０５とついて、図３を参照して説明する。図３は、本発明の第２の実施形態における出力部選定情報１０４を具体的に例示する図である。
【００５９】
図３に表（テーブル）形式で示す出力部選定情報１０４において、１列目は、セレクト信号を示す情報を表す。２列目は、要求情報１０５を表す。図３に示す要求情報１０５は、一例として、４ビットの情報「０ｈ（ｈｅｘａｄｅｃｉｍａｌ）」、「１ｈ」、「２ｈ」及び「３ｈ」によって表されることとする。
【００６０】
尚、出力部選定情報１０４は、電源装置１０を動作させた際に得られる電力の出力値等の各種情報に基づいて、要求情報１０５と制御情報出力部１３との最適な組み合わせを、予め定義することによって生成されてもよい。
【００６１】
本実施形態において、図３に示す出力部選定情報１０４は、４つの要求情報１０５とセレクト信号を示す情報とが関連付けられた情報を含む構成を例示した。しかしながら、出力部選定情報１０４は、想定される１つ以上の要求情報１０５と、要求情報１０５に対応するセレクト信号を示す情報とが関連付けられた情報を含む構成を採用してもよい。
【００６２】
以下の説明では、制御情報出力部１３について説明する。図４は、本発明の第２の実施形態における要求情報１０５と変換効率との組み合わせを概念的に例示する図である。
【００６３】
制御情報出力部１３は、要求情報１０５に応じて設定された変換効率に基づいて、電力変換部４における変換効率を調整するよう指示する制御情報を、電力変換部４に対して出力する。
【００６４】
図４に示すように、例えば、要求情報１０５と変換効率とは、予め設定されていることとする。図４において１列目は、要求情報を表す。２列目は、変換効率を表す。
【００６５】
より具体的に、４つの制御情報出力部１３（制御情報出力部１３Ａ乃至１３Ｄ）には、それぞれ異なる変換効率が予め設定されている。即ち、本実施形態において、変換効率は、図４に示すように要求情報１０５に応じて、４つ設定されていることを意味する。そのため、例えば、複数の変換効率によって電力変換部４を制御する場合には、制御部１２は、当該変換効率に対応する複数の制御情報出力部１３を有することによって実現することができる。換言すると、制御部１２は、所望する変換効率の数に応じて１つ以上の制御情報出力部１３を有する構成を採用してもよい。
【００６６】
その場合に、１つ以上の制御情報出力部１３のうち、選定部１４によって選定された特定の制御情報出力部１３は、予め設定された変換効率に基づいて、次に示す処理を実行する。即ち、特定の制御情報出力部１３は、電力変換部４が入力電力から出力電力に変換する際の変換効率を、選定部１４からセレクト信号が入力されるのに応じて調整するよう指示する制御情報を、電力変換部４に対して出力する。
【００６７】
説明の便宜上、一例として、要求部１５は、求めた基準値に応じた要求情報１０５を、制御部１２に対して出力する場合の例を説明した。しかしながら本発明に係る実施形態は、係る例に限定されない。一例として、要求部１５は、求めた基準値と、その基準値を求める際に用いた特定の出力電力情報１０２Ｓとに基づいて、変換効率の調整が必要か否かを判定する。そして、要求部１５は、その判定結果に応じて、要求情報１０５を、制御部１２に対して出力してもよい。即ち、要求部１５は、変換効率の調整が必要と判定した場合には、要求情報１０５を、制御部１２に対して出力してもよい。
【００６８】
その場合に、要求部１５は、求めた基準値と特定の出力電力情報１０２Ｓとを比較する。比較した結果、要求部１５は、特定の出力電力情報１０２Ｓが求めた基準値より高い値、或いは、特定の出力電力情報１０２Ｓが求めた基準値より低い値の場合に、変換効率の調整が必要と判定してもよい。但し、本実施形態を例に説明する本発明は、前述した構成には限定されない（以下、各実施形態においても同様）。
【００６９】
このように本実施の形態に係る電源装置１０によれば、第１の実施形態において説明した効果を享受できると共に、さらに、電力の供給対象である負荷が必要とするタイミングにおいて、その必要とする電力を供給可能なように電力の変換効率を最適化することができる。
【００７０】
その理由は、電源装置１０は、選定部１４と、１つ以上の制御情報出力部１３とを備えるからである。即ち、選定部１４は、要求情報１０５に基づいて、１つ以上の制御情報出力部１３のうち、最適な制御情報を電力変換部４に対して出力可能な特定の制御情報出力部１３を選定することができるからである。制御情報出力部１３は、選定部１４からセレクト信号が入力されるのに応じて、予め設定された変換効率によって、電力変換部４が電力を変換する際の変換効率を調整するよう指示する制御情報を、電力変換部４に対して出力することができるからである。
【００７１】
＜第２の実施形態に係る実施例＞
次に、上述した本発明の第２の実施形態に係る電源装置１０を基本とする実施例について説明する。以下の説明においては、本実施例に係る特徴的な部分を中心に説明する。その際、上述した各実施形態と同様な構成については、同一の参照番号を付すことにより、重複する説明は省略する。
【００７２】
本発明の第２の実施形態に係る実施例における電源装置２０について、図３乃至図９を参照して説明する。
【００７３】
以下の説明では、説明の便宜上、一例として、電源装置２０を、後述する回路構成によって実現する場合の動作について説明することとする。
【００７４】
図５は、本発明の第２の実施形態に係る実施例における電源装置２０の構成を例示する図である。
【００７５】
図５において、電源装置２０は、大別して、電力要求回路２１、制御回路２２及び電力変換回路２３を備える。
【００７６】
図６は、本発明の第２の実施形態に係る実施例における電力要求回路２１の構成を例示する図である。
【００７７】
図６において、電力要求回路２１は、大別して、比較器２６、記憶回路２７を有する。記憶回路２７は、セレクタ（第２セレクタ）２８、４のバッファ２９（バッファ２９Ａ乃至２９Ｄ）及び演算器３０を有する。
【００７８】
以下の説明では、説明の便宜上、４のバッファ２９Ａ乃至２９Ｄのうち、特定のバッファを指定しない場合は、単に、バッファ２９と称することとする。
【００７９】
比較器２６は、第２の実施形態において説明した要求部１５に相当する。記憶回路２７は、第１の実施形態において説明した記憶部３に相当する。バッファ２９Ａ乃至２９Ｄは、第１の実施形態において説明した電力情報１０３を保持（記憶）する具体的な構成例である。
【００８０】
より具体的に、記憶回路２７のセレクタ２８は、電力予測情報１０１Ｒが示す状態（予測値）に基づいて、バッファ２９Ａ乃至２９Ｄのうち、何れか１つのバッファ２９を選定する。セレクタ２８によって選定されたバッファ２９は、例えば、クロック信号１０６に従って出力電力情報１０２Ｒを蓄積する。
【００８１】
本実施例において、電力要求回路２１は、４つのバッファ２９を有する構成を例に説明した。しかしながら、バッファ２９は、後述するコンピュータ回路３１において想定される電力予測情報１０１Ｒが示す予測値の数だけ設けられている構成を採用してもよい。即ち、電力要求回路２１は、１つ以上のバッファ２９を有する構成を採用してもよい。換言すると、バッファ２９は、電力予測情報１０１Ｒが示す予測値毎に設けられていることとする。
【００８２】
また、本実施例において、バッファ２９は、例えば、出力電力情報１０２Ｒを、所定の期間に亘って蓄積する構成を採用してもよい。その場合には、バッファ２９は、例えば、順次、新たに得た出力電力情報１０２Ｒを蓄積する一方で、既に蓄積された出力電力情報１０２Ｓを破棄する構成を採用してもよい。即ち、バッファ２９は、ロータリーバッファ方式によって、出力電力情報１０２Ｒを順次記憶する一方で、過去分の出力電力情報１０２Ｓを破棄する構成を採用してもよい。
【００８３】
演算器３０は、セレクタ２８に選定されたバッファ２９を常時監視（モニタ）する。演算器３０は、選定されたバッファ２９に蓄積された特定の出力電力情報１０２Ｓが示す電力値の平均値を求める。演算器３０は、求めた平均値を基準値として、比較器２６に対して出力する。
【００８４】
比較器２６は、演算器３０によって求められた平均値と、予め設定された所定の電力値の範囲とを比較する。比較した結果、比較器２６は、平均値が所定の電力値の範囲に含まれる場合に、その所定の電力値の範囲に関連付けられた要求情報１０５を、制御回路２２に対して出力する。
【００８５】
以下の説明において、比較器２６には、複数の所定の電力値の範囲と、その所定の電力値の範囲に関連付けられた要求情報１０５とが予め設定されていることとする。
【００８６】
図５において、制御回路２２は、セレクタ（第１セレクタ）２４、４のパラメータ回路２５（パラメータ回路２５Ａ乃至２５Ｄ）及び出力部選定情報１０４を有する。
【００８７】
本実施例において、以下の説明では、説明の便宜上、第１のパラメータ回路をパラメータ回路２５Ａ、第２のパラメータ回路をパラメータ回路２５Ｂ、第３のパラメータ回路をパラメータ回路２５Ｃ及び第４のパラメータ回路をパラメータ回路２５Ｄと称する。以下の説明では、４のパラメータ回路２５Ａ乃至２５Ｄのうち、特定のパラメータ回路を指定しない場合は、単に、パラメータ回路２５と称することとする。
【００８８】
制御回路２２は、第２の実施形態において説明した制御部１２に相当する。セレクタ２４は、第２の実施形態において説明した選定部１４に相当する。パラメータ回路２５Ａ乃至２５Ｄは、第２の実施形態において説明した制御情報出力部１３Ａ乃至１３Ｄに相当する。
【００８９】
負荷であるコンピュータ回路３１は、動作するのに必要な電力の予測値を求める。コンピュータ回路３１は、求めた予測値を示す電力予測情報１０１Ｒを、電力要求回路２１に対して出力する。
【００９０】
図７は、本発明の第２の実施形態に係る実施例におけるコンピュータ回路３１の要部を示すブロック図である。
【００９１】
図７において、コンピュータ回路３１は、ＣＰＵ（Ｃｅｎｔｒａｌ  Ｐｒｏｃｅｓｓｉｎｇ  Ｕｎｉｔ）３２を有する。一例として、ＣＰＵ３２には、処理待ち命令を含む命令キュー３３を概念的に例示する。
【００９２】
以下の説明において、例えば、コンピュータ回路３１は、所定の時間周期毎に、命令キュー３３に含まれる処理待ち命令の数等の情報に基づいて、電力予測情報１０１Ｒを求めることとする。また、コンピュータ回路３１は、求めた電力予測情報１０１Ｒを電力要求回路２１に対して出力する。但し、本実施例を例に説明する本発明は、前述した構成には限定されない。例えば、電力予測情報１０１Ｒは、コンピュータ回路３１の動作状況に応じて、求められると共に出力される構成を採用してもよい。或いは、電力予測情報１０１Ｒは、例えば、外部装置（不図示）が負荷の動作を監視することによって求められてもよい。
【００９３】
尚、負荷が命令キュー３３に含まれる処理待ち命令の数等の情報に基づき電力の予測値を求める技術自体は、現在では一般的な技術を採用することができる。そのため、本実施形態における詳細な説明は省略する。
【００９４】
以下の説明において、より具体的に、本実施例における電源装置２０の動作について説明する。
【００９５】
図８は、本発明の第２の実施形態に係る実施例における電源装置２０が行う動作を示すフローチャートである。係るフローチャートに沿って電源装置２０の動作手順を説明する。
【００９６】
以下の説明において、コンピュータ回路３１は、電力予測情報１０１Ｒを、電力要求回路２１に対して出力することとする。また、バッファ２９は、所定の時間周期毎に、電力変換回路２３から出力された出力電力情報１０２Ｒに基づいて、電力予測情報１０１Ｓと出力電力情報１０２Ｓとを関連付けて記憶することとする。
【００９７】
電力要求回路２１のセレクタ２８は、コンピュータ回路３１から出力された電力予測情報１０１Ｒを入力として、バッファ２９Ａ乃至２９Ｄのうち、何れか１つのバッファ２９を選定する。演算器３０は、選定されたバッファ２９に蓄積された特定の出力電力情報１０２Ｓが示す電力値の平均値を求める。換言すると、演算器３０は、電力予測情報１０１Ｓに関連付けられている特定の出力電力情報１０２Ｓに基づいて、その出力電力情報１０２Ｓの平均値を求める。演算器３０は、求めた平均値を基準値として、比較器２６に対して出力する（ステップＳ１）。
【００９８】
以下の説明では、一例として、セレクタ２８は、バッファ２９Ａ乃至２９Ｄのうち、バッファ２９Ａを選定することとする。
【００９９】
比較器２６は、演算器３０から出力された基準値である平均値を入力として、その平均値に基づいて、要求情報１０５を生成する。比較器２６は、生成した要求情報１０５を、制御回路２２に対して出力する（ステップＳ２）。
【０１００】
より具体的に、比較器２６は、係る平均値と所定の電力値の範囲とを比較する。比較した結果、比較器２６は、平均値を含む所定の電力値の範囲に関連付けられた要求情報１０５を、制御回路２２に対して出力する。即ち、比較器２６は、複数の電力値の範囲の中から、平均値を範囲内に含む特定の電力値の範囲を選定する。比較器２６は、その選定した電力値の範囲に関連付けられている要求情報１０５を、制御回路２２に対して出力する。
【０１０１】
制御回路２２のセレクタ２４は、比較器２６から出力された要求情報１０５を入力として、出力部選定情報１０４を参照する。セレクタ２４は、出力部選定情報１０４の中から、要求情報１０５に関連付けされている特定のパラメータ回路２５を指定可能なセレクト信号を示す情報を取得する（ステップＳ３）。セレクタ２４は、取得したセレクト信号を示す情報に基づいて、そのセレクト信号を生成する。セレクタ２４は、特定のパラメータ回路２５に対してセレクト信号をアサートする（ステップＳ４）。以下の説明において、例えば、アサートとは、注目する対象を、アクティブな状態にすることを意味することとする。
【０１０２】
以下の説明では、例えば、要求情報１０５は、値「１ｈ」を示すこととする。そのため、セレクタ２４は、図３に示す出力部選定情報１０４の中から、要求情報１０５が示す値「１ｈ」に関連付けされている特定のパラメータ回路２５としてパラメータ回路２５Ｂに対してセレクト信号をアサートすることとする。
【０１０３】
特定のパラメータ回路２５は、図４に示すように予め設定された変換効率によって、電力変換回路２３における変換効率を調整するよう指示する制御情報を、電力変換回路２３に対して出力する（ステップＳ５）。
【０１０４】
以下の説明では、一例として、パラメータ回路２５Ｂが当該制御情報を電力変換回路２３に対して出力することとする。
【０１０５】
電力変換回路２３は、特定のパラメータ回路２５から出力された制御情報を入力として、制御情報に基づき電力を変換する。電力変換回路２３は、変換した電力（出力電力）を、コンピュータ回路３１に対して出力する（ステップＳ６）。
【０１０６】
以下の説明では、例えば、電力変換回路２３は、コンピュータ回路３１に対して出力した電力値を示す出力電力情報１０２Ｒを、電力要求回路２１に対して出力することとする。即ち、電力変換回路２３は、出力電力情報１０２Ｒを、電力要求回路２１の記憶回路２７に対して出力することとする。
【０１０７】
記憶回路２７のセレクタ２８に選定されたバッファ２９は、電力変換回路２３から出力された出力電力情報１０２Ｒを入力として、出力電力情報１０２Ｒを蓄積する。即ち、バッファ２９は、出力電力情報１０２Ｒを出力電力情報１０２Ｓとして記憶する（ステップＳ７）。
【０１０８】
本実施例において、上述したようにセレクタ２８は、バッファ２９Ａを選定することとする。そのため、バッファ２９Ａは、出力電力情報１０２Ｒを出力電力情報１０２Ｓとして蓄積することとする。
【０１０９】
このように、電源装置２０は、コンピュータ回路３１の動作状況に応じて、コンピュータ回路３１が必要とする電力を供給することができる。
【０１１０】
以下の説明では、一例として、コンピュータ回路３１の動作状況に応じて、係る予測値が変動した際の動作について図９を参照して説明する。
【０１１１】
以下の説明では、説明の便宜上、一例として、コンピュータ回路３１は、動作するのに必要な電力の予測値が変動するのに応じて、電力予測情報１０１Ｒを電力要求回路２１に対して出力することとする。
【０１１２】
尚、説明の便宜上、上述した構成を例に説明するが、本実施形態を例に説明する本発明は、前述した構成には限定されない。
【０１１３】
図９は、本発明の第２の実施形態に係る実施例における電源装置２０が行う動作を示すタイムチャートである。図９は、電力変換回路２３から出力される電力、電力予測情報１０１Ｒの変化に伴う要求情報１０５及びセレクタ２４から出力されるセレクト信号の時間変化を示すタイムチャートである。
【０１１４】
図９に示す横軸は、時間軸を表す。縦の段は、順に、上述した電力、要求情報１０５及びセレクト信号（セレクト信号Ａ乃至Ｄ）を表す。説明の便宜上、一例として、セレクト信号Ａは、パラメータ回路２５Ａを指定可能な信号を表すこととする。セレクト信号Ｂは、パラメータ回路２５Ｂを指定可能な信号を表すこととする。セレクト信号Ｃは、パラメータ回路２５Ｃを指定可能な信号を表すこととする。セレクト信号Ｄは、パラメータ回路２５Ｄを指定可能な信号を表すこととする。
【０１１５】
図９に示す時刻Ｔ１において、電力要求回路２１は、コンピュータ回路３１から出力された電力予測情報１０１Ｒ−１を入力として、図８のステップＳ１及びステップＳ２に示す処理を実行する。これにより、電力要求回路２１の比較器２６は、要求情報１０５を、セレクタ２４に対して出力する。本実施例において、時刻Ｔ１における要求情報１０５は、「１ｈ」を表すこととする。
【０１１６】
そのため、セレクタ２４は、図３に示す出力部選定情報１０４の中から、要求情報１０５が示す「１ｈ」に関連付けされているセレクト信号Ｂを、パラメータ回路２５Ｂに対してアサートすることとする。電力変換回路２３は、パラメータ回路２５Ｂから出力された制御情報を入力として、その制御情報に基づき電力を変換する。電力変換回路２３は、変換した電力を、コンピュータ回路３１に対して出力する。
【０１１７】
次に、図９に示す時刻Ｔ２において、コンピュータ回路３１は、時刻Ｔ１において出力した電力予測情報１０１Ｒ−１と異なる電力予測情報１０１Ｒ−２を電力要求回路２１に対して出力することとする。電力要求回路２１は、コンピュータ回路３１から出力された電力予測情報１０１Ｒ−２を入力として、図８のステップＳ１及びステップＳ２に示す処理を実行する。これにより、比較器２６は、要求情報１０５を、セレクタ２４に対して出力する。本実施例において、時刻Ｔ２における要求情報１０５は、「０ｈ」を表すこととする。
【０１１８】
そのため、図９に示す時刻Ｔ３において、セレクタ２４は、図３に示す出力部選定情報１０４の中から、要求情報１０５が示す「０ｈ」に関連付けされているセレクト信号Ａを、パラメータ回路２５Ａに対してアサートすることとする。電力変換回路２３は、パラメータ回路２５Ａから出力された制御情報を入力として、その制御情報に基づき電力を変換する。電力変換回路２３は、変換した電力を、コンピュータ回路３１に対して出力する。
【０１１９】
図９に示す時刻Ｔ４において、コンピュータ回路３１は、時刻Ｔ１及び時刻Ｔ２において出力した電力予測情報と異なる電力予測情報１０１Ｒ−３を電力要求回路２１に対して出力することとする。電力要求回路２１は、コンピュータ回路３１から出力された電力予測情報１０１Ｒ−３を入力として、図８のステップＳ１及びステップＳ２に示す処理を実行する。これにより、比較器２６は、要求情報１０５を、セレクタ２４に対して出力する。本実施例において、時刻Ｔ４における要求情報１０５は、「２ｈ」を表すこととする。
【０１２０】
そのため、図９に示す時刻Ｔ５において、セレクタ２４は、図３に示す出力部選定情報１０４の中から、要求情報１０５が示す「２ｈ」に関連付けされているセレクト信号Ｃを、パラメータ回路２５Ｃに対してアサートすることとする。電力変換回路２３は、パラメータ回路２５Ｃから出力された制御情報を入力として、その制御情報に基づき電力を変換する。電力変換回路２３は、変換した電力を、コンピュータ回路３１に対して出力する。
【０１２１】
このような一連の動作により、電源装置２０は、コンピュータ回路３１の動作状況に応じて、必要とする電力の予測値が変動する場合であっても、その変動に追随して電力をコンピュータ回路３１に対して出力することができる。即ち、電源装置２０は、コンピュータ回路３１が必要とする電力を供給可能なように電力の変換効率を最適化することができる。
【０１２２】
尚、上述した本実施例では、説明の便宜上、一例として、電源装置２０は、電力要求回路２１を含まない構成を例に説明した。しかしながら本発明に係る実施形態は、係る構成に限定されない。電源装置２０は、電力要求回路２１を含む構成を採用してもよい。
【０１２３】
このように本実施例に係る電源装置２０によれば、各実施形態において説明した効果を享受できる。また、電源装置２０は、電源装置を備える各種機器に適用して好適である。
【０１２４】
その理由は、電源装置２０は、比較的簡単な処理構成によって、負荷が必要とする電力を供給可能なように電力の変換効率を最適化することができるからである。
【０１２５】
＜第３の実施形態＞
次に、上述した本発明の各実施形態及び実施例に係る電源装置の総括的な実施形態について説明する。以下の説明においては、本実施形態に係る特徴的な部分を中心に説明する。その際、上述した各実施形態及び実施例と同様な構成については、同一の参照番号を付すことにより、重複する説明は省略する。
【０１２６】
本発明の第３の実施形態における電源制御装置４０について、図１０を参照して説明する。
【０１２７】
図１０は、本発明の第３の実施形態における電源制御装置４０の構成を示すブロック図である。
【０１２８】
図１０において、電源制御装置４０は、制御部４１を備える。
【０１２９】
制御部４１は、電力予測情報１０１Ｓと出力電力情報１０２Ｓとが関連付けされた電力情報１０３が記憶されている記憶部３を、新たな（新たに入力される）電力予測情報１０１Ｒに基づいて参照する。
【０１３０】
ここで、電力予測情報１０１Ｓは、電力の供給対象である負荷（不図示）の動作に必要な電力の予測値を示す電力予測情報のうち、過去分の電力予測情報を表すこととする。また、出力電力情報１０２Ｓは、当該過去分の電力予測情報が示す予測値に対して負荷が実際に動作する際に出力した電力値を示す出力電力情報を表すこととする。
【０１３１】
これによって、制御部４１は、当該新たな電力予測情報１０１Ｒに対応する、電力情報１０３中の過去分の電力予測情報１０１Ｓに関連付けされている特定の出力電力情報１０２Ｓを求める。制御部４１は、求めた特定の出力電力情報１０２Ｓに基づいて基準値を求める。
【０１３２】
制御部４１は、求めた基準値に応じて、電力変換部４が入力電力から出力電力に変換する際の電力変換効率を調整するよう、電力変換部４を制御する。
【０１３３】
尚、電源装置は、電源制御装置４０、電力変換部４及び記憶部３によって構成することができる。
【０１３４】
このように本実施例に係る電源制御装置４０によれば、電力の供給対象である負荷の動作状況に応じて、その負荷が必要とする電力を供給可能なように電力の変換効率を最適化することができる。
【０１３５】
（ハードウェア構成例）
上述した実施形態において図面（図１、図２、図５、図６及び図１０）に示した各部のうち、少なくとも、要求部、制御部、選定部、制御情報出力部、比較器、セレクタ、演算機及びパラメータ回路は、ソフトウェアプログラムの機能単位（処理単位、ソフトウェアモジュール）と捉えることができる。これらの各ソフトウェアモジュールは、専用のハードウェアによって実現してもよい。但し、これらの図面に示した各部の区分けは、説明の便宜上の構成であり、実装に際しては、様々な構成が想定され得る。この場合のハードウェア環境の一例を、図１１を参照して説明する。
【０１３６】
図１１は、本発明の模範的な実施形態に係る電源装置において、少なくとも制御部などの機能を実行可能な情報処理装置（コンピュータ）３００の構成を例示的に説明する図である。即ち、図１１は、コンピュータ（情報処理装置）の構成であって、上述した実施形態における各機能を実現可能なハードウェア環境を表す。このコンピュータは、電源装置１（図１）、或いは、電源装置１０（図２）、電源装置２０（図５）、電源制御装置４０（図１０）の一部の電源装置及び電源制御装置を実現可能である。
【０１３７】
図１１に示した情報処理装置３００は、以下の構成がバス（通信線）３０６を介して接続された一般的なコンピュータである。
【０１３８】
・ＣＰＵ３０１、
・ＲＯＭ（Ｒｅａｄ＿Ｏｎｌｙ＿Ｍｅｍｏｒｙ）３０２、
・ＲＡＭ（Ｒａｎｄｏｍ＿Ａｃｃｅｓｓ＿Ｍｅｍｏｒｙ）３０３、
・ハードディスク（記憶装置）３０４、
・外部装置との通信インタフェース（図１１において通信Ｉ／Ｆ（Ｉｎｔｅｒｆａｃｅ）と示す）３０５。
【０１３９】
そして、上述した実施形態を例に説明した本発明は、以下の手順によって達成される。即ち、図１１に示した情報処理装置３００に対して、係る実施形態において参照したブロック構成図（図１、図２、図５、図６及び図１０）或いはフローチャート（図８）の機能を実現可能なコンピュータ・プログラムが供給される。その後、そのコンピュータ・プログラムは、当該ハードウェアのＣＰＵ３０１に読み出されて実行されることによって達成される。また、当該装置内に供給されたコンピュータ・プログラムは、読み書き可能な一時記憶メモリ（ＲＡＭ３０３）またはハードディスク３０４等の不揮発性の記憶デバイスに格納すれば良い。
【０１４０】
また、前記の場合において、当該ハードウェア内へのコンピュータ・プログラムの供給方法は、現在では一般的な手順を採用することができる。例えば、供給方法は、ＣＤ−ＲＯＭ等の各種記録媒体を介して当該装置内にインストールする方法や、インターネット等の通信回線を介して外部よりダウンロードする方法等である。そして、このような場合において、本発明は、係るコンピュータ・プログラムを構成するコード、或いはそのコードが格納された記録媒体によって構成されると捉えることができる。
【０１４１】
以上、実施形態及び実施例を参照して本発明を説明してきたが、本発明は上記実施形態及び実施例に限定されるものではない。本発明の構成には、本発明のスコープ内で当業者が理解しうる様々な変更をすることができる。
【符号の説明】
【０１４２】
１    電源装置
２    制御部
３    記憶部
４    電力変換部
１０    電源装置
１１    電力要求部
１２    制御部
１３Ａ乃至１３Ｄ    制御情報出力部
１４    選定部
１５    要求部
２０    電源装置
２１    電力要求回路
２２    制御回路
２３    電力変換回路
２４、２８    セレクタ
２５Ａ乃至２５Ｄ    パラメータ回路
２６    比較器
２７    記憶回路
２９Ａ乃至２９Ｄ    バッファ
３０    演算器
３１    コンピュータ回路
３２    ＣＰＵ
３３    命令キュー
４０    電源制御装置
４１    制御部
１０１Ｒ、１０１Ｓ    電力予測情報
１０２Ｒ、１０２Ｓ    出力電力情報
１０３    電力情報
１０４    出力部選定情報
１０５    要求情報
１０６    クロック信号
３００    情報処理装置
３０１    ＣＰＵ
３０２    ＲＯＭ
３０３    ＲＡＭ
３０４    ハードディスク
３０５    通信インタフェース
３０６    バス
【図１】
0006560070.tif 000002
【図２】
0006560070.tif 000003
【図３】
0006560070.tif 000004
【図４】
0006560070.tif 000005
【図５】
0006560070.tif 000006
【図６】
0006560070.tif 000007
【図７】
0006560070.tif 000008
【図８】
0006560070.tif 000009
【図９】
0006560070.tif 000010
【図１０】
0006560070.tif 000011
【図１１】
0006560070.tif 000012